【事件の表示】
　平成　５年特許願第２６７９１１号「パチンコ機」拒絶査定不服審判事件〔平成　７年　４月１１日出願公開、特開平　７−　９６０７７〕について、次のとおり審決する。
【結　論】
　本件審判の請求は、成り立たない。
【理　由】
１． 手続きの経緯、本願発明 
　　　　
　本願は、平成５年９月２９日の出願であって、平成１３年８月１３日付けで拒絶査定がなされ、これに対し、平成１３年９月２０日付けで拒絶査定に対する審判請求がなされたものであり、その請求項１に係る発明（以下、本願発明という。）は、平成１２年５月１６日付け手続補正書、平成１３年５月９日付けの手続補正書及び平成１３年１０月２２日付けの手続補正書により補正された明細書又は図面の記載からみて、特許請求の範囲の請求項１に記載された次のとおりのものである。
　　　　
「【請求項１】　遊技盤の裏面上部に配設される球タンクと、前記球タンクの下方に設けられたタンクレールと、前記タンクレールの下流端に球圧を弱める屈曲レールを介して配設される景品球払出装置と、を備え、
　前記タンクレールには、該タンクレールの外側壁に着脱自在に取付け得るベース基板と、前記ベース基板に設けられた受枠片と、前記受枠片に保持される振動モーターとからなる振動手段が設けられ、
　他方、前記屈曲レールには、前記タンクレールに球詰りが発生して該屈曲レール内のパチンコ球がなくなると前記景品球払出装置の球切れ信号を送出する球切れ検出器が設けられ、
　前記景品球払出装置の球切れ信号によって前記振動モーターを振動させ、前記タンクレールに振動を与えることによりタンクレールの球詰りが自動的に解消されて景品球払出装置へパチンコ球が供給されるようにしたことを特徴とするパチンコ機。」
　　　
　　　
２．引用例
（１）引用例１
　原査定の拒絶の理由に引用された特開平５−２３７２４５号公報（以下「引用例１」という）には、図面とともに以下の記載がある。
　　　　
　　　　
（記載事項ａ）
「【０００１】
【産業上の利用分野】この発明は、パチンコ遊技機等の遊技機に適用される球の排出制御装置に関する。」（第２頁右欄第２８〜３０行）
　　　　
　　　　
（記載事項ｂ）
「【００１１】なお、図１中、１７は前記供給皿１２が満杯になったときに内部でオーバーフローした賞球を貯留する受皿、１８は供給皿１２から供給される球を１個ずつ透明ガラス窓内の遊技領域１９に発射する打球発射装置の操作ダイヤルである。遊技領域の構成は従来のものと同様で任意の構成をとり得る。
【００１２】この実施例に係るカード式パチンコ遊技システム１は概略上記のように構成されていて、遊技中、遊技領域１９の入賞部（図示省略）に球が入賞すると、球排出装置（後述）により賞球（球）の排出がなされる。また、一定の遊技条件が成立したときに、遊技者に多くの賞球獲得のチャンスを与え得る特別な遊技状態（大当り遊技状態）が発生するようになっている。
【００１３】一方、球貸機２０のカード挿排口２２にカードが差し込まれてから、変換ボタン１３ｂが押されると、そのカードの有する金額の範囲内で、予め設定された金額（例えば、３００円分）を貸し球に変換する指令が球排出制御装置（後述）に送出されて、球排出装置（後述）により貸し球が供給皿１２に排出されるようになっている。そして、変換後のカードの残り金額は、例えば、１００円を１単位とする度数で残高表示器１３ａに表示されるようになっている。
【００１４】図２には、パチンコ遊技機１０の球の排出部を具えた裏機構の一実施例を示す。図２において、２００は賞球および貸し球を排出する球排出装置、６００は球排出制御装置である。この球排出制御装置６００は、後述の役物制御装置７００からの、入賞を示す信号に基づいて前記球排出装置２００を制御して所定数の賞球又は貸し球を排出させる。尚、本実施例では、球排出制御装置６００が排出制御手段を構成し、該装置６００のマイクロコンピュータ１０００が後述の制御プログラムを実行することによって、カウントセンサや球有りセンサからの信号に基づいて球詰り状態を判定する球詰り判定部，球詰り発生時にウォームを逆回転／正回転させる球詰り解除動作部，更にはウォームの回転速度を変換する速度調整部として機能するようになっている。又、８１１は排出される前の予備球を貯留しておく貯留タンク、８１２は貯留タンク８１１内から流下する球を整列させて前記球排出装置２００の直上の第２の誘導樋８４０まで誘導する第１の誘導樋である。この第１の誘導樋８１２には、特に制限されないが、短時間に多量の球を供給できるように球を排出させる排出通路が２条形成されている。そして、その上流側に球崩し装置（後述）が設置され、下流側には球詰りセンサ（後述）が設置されている。」（第４頁左欄第１６行〜右欄第１０行）
　　　　
　　　　
（記載事項ｃ）
「【００４０】図１２には、貯留タンク８１１および誘導樋８１２の縦断背面図を示す。同図に示すように、貯留タンク８１１の下流側端壁部には、球無し検出器４１０が設置されている。この球無し検出器４１０は、例えば前記貯留タンク８１１の下流側端壁の開口部にピン４１１により揺動自在に吊支された検出片４１２と、該検出片４１２の検出部４１２ａを検出するセンサ４１３とから構成されている。そして、前記検出片４１２は図示省略の復帰ばねによりその下端の検出部４１２ａがセンサ４１３から脱する方向に付勢されている。
【００４１】球無し検出器４１０は上記のように構成されていて、貯留タンク８１１内に球が満たされているときには、その球圧で検出片４１２が、その下端の検出部４１２ａがセンサ４１３内に入り込む方向に押されてセンサ４１３がオフ（ＯＦＦ）となることにより、球有り状態が検出される。一方、貯留タンク８１１内に球が無くなるか、或は少なくなったときに、その検出片４１２が前記復帰ばねの力でセンサ４１３から脱する方向に回動復帰されてセンサ４１３がオン（ＯＮ）となることにより、球無し状態が検出される。この球無し状態が検出されたときには、その検出信号がパチンコ遊技店内等に設置された管理装置（図示省略）に送られ、その管理装置からの指令で貯留タンク８１１に球の補給がなされる。
【００４２】また、誘導樋８１２の下流側底部に球詰り検出器４２０が設置される一方、その上流側端部に球崩し装置４３０が設置されている。より詳しく説明すると、前記球詰り検出器４２０は、例えば、前記誘導樋８１２の下流側底部の開口部にピン４２１により回動自在に設置された検出片４２２と、該検出片４２２を検出するセンサ４２３とから構成されている。そして、前記検出片４２２は図示省略の付勢用スプリングによりその自由端側が上昇する方向への回動復帰力を付与されている。
【００４３】一方、前記球崩し装置４３０は誘導樋８１２中に一部を突出させた状態に配されたウォーム４３１と該ウォーム４３１を回転させる球崩し用モータ４３２とから構成されている。
【００４４】球詰り検出器４２０および球崩し装置４３０は上記のように構成されていて、誘導樋８１２に球が満たされて検出片４２２上に球があるときには、その球の重みで検出片４２２が、その自由端側の検出部４２２ａがセンサ４２３内に入り込む方向に押下されてセンサ４２３がオフ（ＯＦＦ）となることにより、球有り状態が検出される。一方、誘導樋８１２の上流部の球詰りなどで、検出片４２２上に球が無くなると、検出片４２２が前記付勢用スプリング（図示省略）の付勢力でその自由端側が上昇する方向に回動復帰されてその自由端側の検出部４２２ａがセンサ４２３から脱してセンサ４２３がオン（ＯＮ）となることにより、球無し状態が検出される。そして、この検出信号が前記球排出制御装置６００に送られ、その球排出制御装置６００からの指令でモータ４３２が作動されてウォーム４３１が回転する。このウォーム４３１の回転により誘導樋８１２の上流側の球が崩されて球詰りが解除され、検出片４２２上に球が至るとその球の重みで球詰り検出器４２０のセンサ４２３がオフ（ＯＦＦ）となることにより再び球有り状態が検出される状態となる。この検出信号が前記球排出制御装置６００に送られ、その球排出制御装置６００からの指令でモータ４３２が停止された状態に戻る。
【００４５】図１３には、図１２を用いて説明した球崩し装置の第１の変形例を示す。この第１の変形例の球崩し装置４４０は、誘導樋８１２の底側開口部に設置された回動底板４４１と、該回動底板４４１に回動力を付与する駆動装置４４２とから構成されている。より詳しく説明すれば、前記回動底板４４１は水平軸４４１ａを軸心として自由端側が昇降する方向に回動自在に設置されている。
【００４６】一方、前記駆動装置４４２はモータ４４２ａと該モータ４４２ａの駆動軸４４２ｂに取り付けられたカム４４２ｃとから構成され、前記カム４４２ｃが前記回動底板４４１の下側面に接触した状態に配されている。
【００４７】そして、前記球詰り検出器４２０（図１２）による球無し状態の検出時に、前記球排出制御装置６００からの指令で、前記モータ４４２ａが作動されてカム４４２ｃが図１３中時計廻り方向に回転し、そのカム４４２ｃによって、回動底板４４１が回動されて、誘導樋８１２の上流側の球崩しが行われるようになっている。
【００４８】図１４には球崩し装置の第２の変形例を示す。この第２の変形例の球崩し装置は誘導樋８１２の上流側端部に設置されたソレノイド４５０によって構成され、該ソレノイド４５０の作動ロッド４５１の一端側が前記誘導路８１２中に臨まされている。そして、前記球詰り検出器４２０（図１２）による球無し状態の検出時に、球排出制御装置６００からの指令で、前記ソレノイド４５０がオン（ＯＮ）・オフ（ＯＦＦ）作動され、その作動ロッド４５１の往復動によって、誘導樋８１２の上流側の球崩しが行われるようになっている。
【００４９】図１５には球崩し装置の第３の変形例を示す。この第３の変形例の球崩し装置４６０は誘導樋８１２の上流側下側部に設置されたモータ４６１により回転駆動される螺旋体４６２によって構成されている。そして、前記球詰り検出器４２０（図１２）による球無し状態の検出時に、前記螺旋体４６２が逆ねじ方向に回転されて、誘導樋８１２の上流側の球崩しが行われるようになっている。
【００５０】図１６には球崩し装置の第４の変形例を示す。この第４の変形例の球崩し装置は誘導樋８１２の上流側底部に臨ませて設置されたベルトコンベア装置４８０によって構成されている。このベルトコンベア装置４８０はモータ４８１と該モータ４８１の駆動力によって走行される走行ベルト４８２とによって構成されている。そして、前記走行ベルト４８２は、前記モータ４８１の駆動軸に取り付けられた駆動用プーリ４８３と、該プーリ４８３と所定間隔離して設置された従動用プーリ４８４と、それらの間に配設された案内用プーリ４８５，４８６，４８７とに掛け渡されている。
【００５１】このベルトコンベア装置４８０は、このように構成されていて、前記球詰り検出器４２０（図１２）による球無し状態の検出時に、前記球排出制御装置６００からの指令で、前記モータ４８１により走行ベルト４８２が矢印Ｄ方向に走行されて、誘導樋８１２の上流側の球崩しが行われるようになっている。」（第７頁左欄第４３行〜第８頁右欄第７行）
　　　　
　　　　
（記載事項ｄ）
「【００５７】また、オーバーフロースイッチ８１８からのオーバーフロー信号があったときにはオーバーフローランプ１４が点灯され、球詰りセンサ４２３からの球詰り信号があったときにはその球詰り状態が解消されるまで球崩しモータ４３２が作動されて誘導樋８１２内の球崩し動作が行われる。」（第９頁左欄第３６〜４１行）
　　　　
　これらの記載によれば、引用例１には、次の発明（引用発明１）が記載されていると認められる。
　　　　
「貯留タンク８１１の下方に設けられた誘導樋８１２と、前記誘導樋８１２の下流端に誘導樋８４０を介して配設される球排出装置２００と、を備え、前記誘導樋８１２には、誘導樋８１２中に一部を突出させた状態に配されたウォーム４３１と、ウォーム４３１を回転させる球崩し用モータ４３２とから構成された球崩し装置４３０が設けられ、他方、誘導樋８１２には、前記誘導樋８１２の上流部に球詰りが発生して、誘導樋８１２に設けられた検出片４２２上に球がなくなると、球排出装置２００の球無し状態を示す検出信号を、球排出装置２００を制御する球排出制御装置６００に送る、球詰り検出器４２０が設けられ、球排出装置２００の球無し状態を示す検出信号によって前記球崩し用モータ４３２を作動させ、ウォーム４３１の回転により前記誘導樋８１２の上流部の球詰りが解除されて球排出装置２００へ球が供給されるようにしたパチンコ遊技機。」
　　　
　　　
（２）引用例２
　原査定の拒絶の理由に引用された実願昭６１−１１７０８７号（実開昭６３−２２９６８号）のマイクロフィルム（以下「引用例２」という）には、図面とともに以下の記載がある。
　　　
（記載事項ａ）
「１  パチンコゲーム機の背面に設けられた賞球貯留用のタンクに対してパチンコ玉を追加供給するための玉供給路と、この玉供給路に対して取着される本体ケースを有しその本体ケース内に振動源を収納して成る振動発生ユニットと、前記タンクに対するパチンコ玉の供給指令信号を発生する信号発生手段と、上記供給指令信号が出力されたときに前記タンクに対し前記玉供給路を介して所定個数のパチンコ玉を供給する玉供給手段と、前記供給指令信号が出力されてから所定時期までの間前記振動発生ユニット内の振動源を駆動して前記玉供給路に振動を付与する制御手段とを備えたことを特徴とするパチンコゲーム機のパチンコ玉供給装置。
２  制御手段はタイマによって構成されていることを特徴とする実用新案登録請求の範囲第１項に記載のパチンコゲーム機のパチンコ玉供給装置。
３  制御手段は、タンクに対するパチンコ玉の供給動作が終了したときに検知信号を発生する検知手段を含んで構成され、この検知信号が出力されるまでの間振動源を駆動するように構成されていることを特徴とする実用新案登録請求の範囲第１項に記載のパチンコゲーム機のパチンコ玉供給装置。」（実用新案請求登録の範囲）
　　　
（記載事項ｂ）
「パチンコゲーム機１、１、・・・を上方から見た状態を示す第１図及び裏側から見た状態を示す第２図において、２は各パチンコゲーム機１の背面上部に取付けられた賞球貯留用のタンク、３はこのタンク２内の底部に配置された検知スイッチで、この検知スイッチ３はタンク２内が空になったとき（賞球用として貯留されたパチンコ玉が無くなったとき）にこれを検知してオンする構成のものである。４は各パチンコゲーム機１の背面側上方に配設された玉供給経路で、これは玉供給源からのパチンコ玉が重力により転がりながら流れる樋状の主経路と４ａと、この主経路４ａから各タンク２と１対１で対応するように分岐された樋状の分岐通路４ｂとより成り、主通路４ａを流れるパチンコ玉が分岐通路４ｂの最下端部に形成された落下口４ｃまで転動するように構成されている。」（第５頁第７行〜第６頁第２行）
　　　
（記載事項ｃ）
「さて、７は玉供給路４の分岐通路４ｂに取着された振動発生ユニットで、以下これについて第３図及び第４図も参照しながら説明する。即ち、第３図及び第４図において、８は矩形状をなすプラスチック製本体ケースで、これの側壁８ａにはその外側面との間にスリット９ａを存した取付用腕部９が一体に突出形成されており、上記スリット９ａを前記樋状をなす分岐通路４ｂの側壁に嵌合させることにより、その分岐通路４ｂに取付固定されている。１０は本体ケース８内に収納された振動源たる電磁石装置で、これにはプランジャ１０ａの先端を前記側壁８ａの内面に常時当接させる圧縮コイルばね１０ｂ、及び通電されたときに上記ブランジャ１０ａを圧縮コイルばね１０ｂに抗して吸引するコイル部１０ｃが夫々設けられている。従って、斯かる電磁石装置１０にあっては、コイル部１０ｃに周期的に通電されると、これに応じて往復動されるブランジャ１０ａによって本体ケース８の側壁８ａが周期的に打撃され、その打撃に応じた振動が分岐通路４ｂに付与されるようになる。また、第４図に示す１１は本体ケース８内に収納された発振回路で、その通電状態で上記電磁石装置１０のコイル部１０ｃに周期的に電流が供給されるようになっている。尚、第３図に示す１２は本体ケース８のカバーである。」（第７頁第１１行〜第８頁第１５行）
　　　
（記載事項ｄ）
「斯様に供給指令信号Ｓｃが出力されると、計数器５がタンク２に対するパチンコ玉の供給を開始すると共に、タイマ１４がタイマ動作を開始して、そのタイマ動作期間中振動発生ユニット７内の発振回路１１に通電されるようになる。この結果、発振回路１１から電磁石装置１０のコイル部１０ｃに対して周期的に通電されるようになり、これに応じたプランジャ１０ａの往復動に応じて分岐通路４ｂに振動が付与されるようになる。このように振動が付与された状態では、分岐通路４ｂ及びこれと連結された主通路４ａでのパチンコ玉の詰まりが効果的に防止されるものであり、この場合タイマ１４のタイマ動作時間は、計数器５によるパチンコ玉供給所要時間より若干長く設定されているから、その間に玉詰まりを来たすことがなくなるものである。
　要するに上記実施例によれば、玉供給路４での玉詰まりが自動的且つ積極的に防止されるものであり、これにて従来最も大きな比重を占めていた玉詰まり解除作業を行なう必要がなくてパチンコホール従業員の負担を軽減できる。従って、所要従業員数の減少を図り得て、人権費の抑制等を図り得るものである。」（第１０頁第１３行〜第１１頁第１６行）
　　　
　　　
　これらの記載によれば、引用例２には、次の発明（以下、「引用発明２」と言う。）が記載されていると認められる。
　　　　
「玉供給路４の分岐通路４ｂに着脱自在に取着される本体ケース８の側壁８ａと、側壁８ａに一体に設けられた側壁８ａ以外の部分の本体ケース８と、側壁８ａ以外の部分の本体ケース８内に収納された振動源たる電磁石装置１０とを備えた、パチンコ玉供給装置用の振動発生ユニット７であって、振動源たる電磁石装置１０を周期的に通電させ、分岐通路４ｂに振動を与えることにより分岐通路４ｂのパチンコ玉の詰まりが自動的に防止されようにした振動発生ユニット７。」
　　　
　　　
（３）対比
　そこで、本願発明と引用発明１とを比較すると、引用発明１のａ「貯留タンク８１１」、ｂ「誘導樋８１２」、ｃ「球排出装置２００」、ｄ「球」、ｅ「球無し状態を示す検出信号」、ｆ「送る」、ｇ「球詰り検出器４２０」、ｈ「解除」、ｉ「パチンコ遊技機」は、それぞれ、本願発明のａ「球タンク」、ｂ「タンクレール」、ｃ「景品球払出装置」、ｄ「パチンコ球」、ｅ「球切れ信号」、ｆ「送出する」、ｇ「球切れ検出器」、ｈ「自動的に解消」、ｉ「パチンコ機」に相当する。
　　　
　また、本願発明の「振動手段」と引用発明１の「球崩し装置４３０」とは、球を崩すという作用が共通しており、両者は球崩し手段として一致する。
　また、本願発明の「振動モータを振動させ」と、引用発明１における「球崩し用モータを作動させ、ウォーム４３１の回転により」とは、球を崩すために球崩し手段を作動させる点で共通している。
　　
　また、引用発明１における誘導樋８４０は、引用例１の図２の記載から屈曲していることは明らかであって、直線的に落下する場合に比べて、球が屈曲した誘導樋８４０を通る際に落下速度が減速して球圧が弱まることもまた明らかであるから、引用発明１における「誘導樋８４０」は、本願発明における「球圧を弱める屈曲レール」に相当する。
　　　
　また、引用例１において、図１における通常遊技盤により形成される遊技領域１９の位置と図２における貯留タンク８１１の位置を見比べれば、引用発明１において、貯留タンク８１１（球タンク）が遊技盤の裏面上部に配設されていることは明らかである。
　　　
　よって、両者は、
　　　
「遊技盤の裏面上部に配設される球タンクと、球タンクの下方に設けられたタンクレールと、前記タンクレールの下流端に球圧を弱める屈曲レールを介して配設される景品球払出装置と、を備え、前記タンクレールには、球崩し手段が設けられ、他方、前記タンクレールに球詰りが発生して、球がなくなると景品球払出装置の球切信号を送る球切れ検出器が設けられ、景品球払出装置の球切れ信号によって球崩し手段を作動させ、その作動により前記タンクレールの球詰りが自動的に解消されて景品球払出装置へパチンコ球が供給されるようにしたパチンコ機。」
　　
　　
である点で一致し、以下の点で相違する。
　　
　　
相違点１
　タンクレールに設けられた球崩し手段が、本願発明では、タンクレールの外側壁に着脱自在に取付け得るベース基板と、前記ベース基板に設けられた受枠片と、前記受枠片に保持される振動モーターとからなる振動手段であって、景品球払出装置の球切れ信号によって前記振動モーターを振動させ、前記タンクレールに振動を与えることにより前記タンクレールの球詰りが自動的に解消されるようにしたものであるのに対し、引用発明１では、前記タンクレール中に一部を突出させた状態に配されたウォーム４３１と、前記ウォーム４３１を回転させる球崩し用モータ４３２とから構成された球崩し装置４３０であって、前記景品球払出装置の球切れ信号によって前記球崩し用モータ４３２を作動させ、前記ウォーム４３１の回転により前記タンクレールの球詰りが自動的に解消されるようにしたものである点。
　　　
　　　
相違点２
景品球払出装置の球切れ信号を、本願発明では、屈曲レールに設けられた球切れ検出器が、屈曲レール内のパチンコ球がなくなると送出するのに対し、引用発明１では、タンクレールに設けられた球切れ検出器が、タンクレールに設けられた検出片４２２上のパチンコ球がなくなると送出する点。
　　
　　
（４）判断
　上記相違点について検討する。
　　　　　　
（ａ）相違点１について
　本願発明と引用発明２とを対比すると、後者におけるａ「分岐通路４ｂ」、ｂ「側壁８ａ」、ｃ「側壁８ａ以外の部分の本体ケース８」、ｄ「振動発生ユニット７」は、それぞれ、前者におけるａ「タンクレール」、ｂ「ベース基板」、ｃ「受枠片」、ｄ「振動手段」に相当する。
　引用発明１と引用発明２とは、タンクレールの球詰りを自動的に解除又は防止するという共通の作用目的を達成するものであるところ、タンクレールに設けられた球崩し手段として、引用発明１では、タンクレール中に一部を突出させた状態に配されたウォーム４３１と、ウォーム４３１を回転させる球崩し用モータ４３２とから構成された球崩し装置４３０が前記タンクレールに設けられ、前記球崩し用モータ４３２を作動させたことによるウォーム４３１の回転により前記タンクレールの球詰りが解除される構成を採用しており、引用発明２では、玉供給路４の分岐通路４ｂ（タンクレール）に着脱自在に取着される本体ケース８の側壁８ａ（ベース基板）と、側壁８ａ（ベース基板）に一体に設けられた側壁８ａ以外の部分の本体ケース８（受枠片）と、側壁８ａ以外の部分の本体ケース８（受枠片）内に収納された振動源たる電磁石装置１０とを備えた、パチンコ玉供給装置用の振動発生ユニット７であって、振動源たる電磁石装置１０を周期的に通電させ、前記分岐通路４ｂに振動を与えることにより分岐通路４ｂのパチンコ玉の詰まりが自動的に防止されるようにした振動発生ユニット７を採用している。
　また、振動源として振動モータは周知（例えば、特開昭６１−１８９１１１号公報、特開平５−１３３０８７号公報参照。）であるところ、引用発明１において、タンクレールに振動を加えれば、振動はタンクレール全体に及び、タンクレール全体の球詰りが解除されて、景品球払出装置へパチンコ球が供給されるようになることは明らかである。
　そうすると、引用発明１において、タンクレールの球詰りを自動的に解除又は防止するために、タンクレールに設けられた球崩し手段に、引用発明２における振動発生ユニット７を採用し、その採用に当たっては、振動源として周知の振動モータを用いる設計変更を加味して、相違点１に係る本願発明のように構成することは、当業者が容易に想到できるものである。
　　　
　　　
（ｂ）相違点２について
　球切れ検出器が設けられた位置よりも上流側全範囲の球詰りを球切れ検出器が検出できることは当然であるし、球切れ検出器を設けることができる位置は多数存在することから、それらの位置を選択するにあたって、どの範囲の球詰りを検出したいかによって好適な位置を選択することは当業者が当然になし得ることであるところ、引用発明１においては、タンクレール最下端に屈曲レールが設けられており、この屈曲レールに球切れ検出器を設ければ、タンクレール全範囲の球詰りを検出できることは明らかである。
　しかして、屈曲レールに球切れ検出器を設けることは周知（例えば、実願昭６３−８１７９９号（実開平２−３７８０号）のマイクロフィルム（第１２頁第４行〜第１３頁第９行、第１図、第８図）、特開平２−２８０７８５号公報（第６頁右上欄第２０行〜右下欄第６行、第２図、第４Ａ図）、特公平１−５７５８９号公報（第１頁右下欄第１〜８行、第１図）を参照。）である。
　そうすると、タンクレール全範囲の球詰りを検出できるようにするために、屈曲レールに球切れ検出器を設けて、相違点２に係る本願発明の構成のようにすることは、当業者が適宜なし得る設計的事項にすぎない。
　　　　
　　　　
（５）本願発明の作用効果について
　本願発明の奏する効果は、引用発明１に引用発明２及び前記周知事項を適用したものから当業者が容易に予測し得るものであって、格別顕著なものではない。
　　　
　　　
（６）むすび
　以上のとおり、本願発明は、引用発明１、引用発明２、及び周知事項に基づいて当業者が容易に発明をすることができたものであるから、特許法第２９条第２項の規定により特許を受けることができない。
　したがって、本願は拒絶をすべきものである。　　
　よって、結論のとおり審決する。